(57)【特許請求の範囲】
【請求項１】
施工面に固定される取付部材に保持されて設置される器体と、器体に設けた差込部に挿入されたプラグの栓刃を受ける刃受部材と、刃受部材に電気的に接続され器体に設けた電線挿入口に挿入された電線を保持して電線を刃受部材と電気的に接続する端子部とを備え、プラグの少なくとも一部が嵌合する凹所が器体の前面に設けられ、凹所の底面に差込部が設けられるとともに凹所の底面を除く部位でプラグが具備する接地極と接触導通する接地部材が器体内に収納され、差込部はプラグの栓刃が挿入される一対の栓刃挿入口と、プラグの接地極用の栓刃が挿入される接地極用の栓刃挿入口とを有し、一対の栓刃挿入口は平板状の平型栓刃が挿入される平型栓刃挿入口とピン型の栓刃が挿入されるピン型栓刃挿入口とを連通させるとともに、それぞれの平型栓刃挿入口の中心とピン型栓刃挿入口の中心とを結ぶ直線が互いに平行とならない形状に形成されることを特徴とするコンセント。
【請求項２】
器体が取付部材と別体に形成されることを特徴とする請求項１記載のコンセント。
【請求項３】
器体が取付部材の少なくとも一部と一体に形成されることを特徴とする請求項１記載のコンセント。
【請求項４】
２つの器体が少なくとも一部で連結されてなることを特徴とする請求項１記載のコンセント。
【請求項５】
プラグの栓刃が挿入される差込部が器体前面の凹所の隣に設けられ、この差込部に挿入されたプラグの栓刃を受ける刃受部材、刃受部材に電気的に接続され器体に設けた電線挿入口に挿入された電線を保持して電線を刃受部材と電気的に接続する端子部が器体内に収納されることを特徴とする請求項１記載のコンセント。
【請求項６】
請求項１記載のコンセントと、施工面に固定され２個の器体を並べて保持する取付部材とを備えたことを特徴とするコンセント装置。
【請求項７】
請求項１記載のコンセントと、請求項１記載のコンセントと異なる構造のコンセントと、施工面に固定され２種類のコンセントの器体を並べて保持する取付部材とを備えたことを特徴とするコンセント装置。
【発明の詳細な説明】
【０００１】
【発明の属する技術分野】
本発明は、コンセント並びにコンセント装置に関するものである。
【０００２】
【従来の技術】
コンセントに接続されるプラグの接触子には、平板状の平型栓刃やピン状のピン型栓刃などのように種々の形状のものが存在し、例えば国や地域によって使用される接触子の種類が規定されており、一般には平型栓刃（又はピン型栓刃）を有するプラグをピン型栓刃用（又は平型栓刃用）のコンセントに接続することはできないようになっている。したがって、仕様の異なるプラグをコンセントに接続する場合には、例えば平型栓刃をピン型栓刃に変換するアダプタが必要になる。
【０００３】
このように、仕様の異なるプラグとコンセントを接続可能とするためには上記アダプタを用いなければならず、非常に使い勝手が悪いものであった。
【０００４】
そこで、従来より、図７５に示すように平型栓刃を有するプラグ（例えば、図７６に示すようなＡ型プラグＰ１又は図７７に示すような接地極付きのＡ型プラグＰ２）とピン型栓刃を有するプラグ（例えば、図７８に示すような定格２．５ＡのＣＥＥ型プラグＰ３又は図７９に示すような定格１６ＡのＣＥＥ型プラグＰ４）とが何れも接続可能なコンセントが提供されている。合成樹脂製の器体４０１は略函形のボディ４０１ａとカバー４０１ｂとを組立枠４０４，４０４にて結合して組み立てられる。カバー４０１ｂの前面には突台４０２が一体に突設され、この突台４０２の前面には一つのプラグに設けた一対の栓刃をそれぞれ挿入することができる２個の挿入口４０３，４０３と、２個の挿入口４０３，４０３とは別に形状の異なる接地極用の栓刃を挿入する挿入口４０５とからなる差込部が２口分形成されている。各挿入口４０３は平型栓刃が差し込まれる平型栓刃挿入口４０３ａと、ピン型栓刃が差し込まれるピン型栓刃挿入口４０３ｂとを連通させた形状に形成されている。つまり、平型栓刃挿入口４０３ａは矩形状であって、長手方向の中間部の一側縁に円状のピン型栓刃挿入口４０３ｂが連通した形状になっている。また、平型栓刃挿入口４０３ａの中心間の距離よりも、ピン型栓刃挿入口４０３ｂの中心間の距離の方が広くなっている。平型栓刃挿入口４０３ａに挿入される平型栓刃は、後述する接触子受け部４１１のばね片４３１の側面とばね片４３２との間で挟持され、ピン型栓刃挿入口４０３ｂに挿入されるピン型栓刃は一対のばね片４３１の間で挟持される。なお、平型栓刃挿入口４０３ａは電圧線側と接地線側とで長さ寸法を異ならせてある。
【０００５】
組立枠４０４は両端と中央から略Ｖ形の引掛爪４０３ａが突設されており、これらの引掛爪４０３ａがボディ４０１ａ側面に形成された段部４０５に係合されてカバー４０１ｂとボディ４０１ａとを固定する。
【０００６】
一方、ボディ４０１ａには長手方向と幅方向とに各々一対ずつの計４つの凹部４０６…が設けられており、これらの各凹部４０６…にはそれぞれ接触子受け部４１１が収納される。また、後述する端子部が収納される収納凹所４０８，４０８が、ボディ４０１ａの長手方向の中央部であって隣合う凹部４０６…の間に挟まれるようにそれぞれ設けてある。なお、ボディ４０１ａの底部には収納凹所４０８，４０８と連通する電線挿入口（図示せず）が開口されている。端子部は、電線と接続される端子片４１３と、この端子片４１３に電線を圧接接続する鎖錠ばね４１４…と、端子片４１３と電線との接続を外すために鎖錠ばね４１４…を圧接解除方向に撓ませる解除釦４１５とを具備した速結端子構造を有している。ここで、端子部の端子片４１３と、接触子受け部４１１とを板状の金属部材を折曲することにより刃受ばねブロック４１０として一体に形成している。
【０００７】
刃受ばねブロック４１０の基部４１０ａの中央部より一対の端子片４１３，４１３が突設されるとともに、その両側に接触子受け部４１１，４１１が設けてある。接触子受け部４１１は、基部４１０ａより突設されて完成時には互いに対向配置される一対のばね片４３１と、ばね片４３１に挟まれて基部４１０ａから突設されたばね片４３２とを有している。また、基部４１０ａの中央部には、先端部が二股に分割されて成る当接片４１６ａ，４１６ａを有するＬ形片４１６が、端子片４１３，４１３に対して反対側に突設されている。そして、互いに対向する端子片４１３，４１３と当接片４１６ａ，４１６ａの間にそれぞれ鎖錠ばね４１４，４１４が配置してあり、鎖錠ばね４１４の鎖錠片４１４ａ及び接触片４１４ｂと刃受ばねブロック４１０の端子片４１３との間に電線が挿入されると、鎖錠片４１４ａの先端が電線に食い込んで抜け止めがなされるとともに、鎖錠片４１４ａ及び接触片４１４ｂによって電線が端子片４１３に圧接されることにより、電線と端子片４１３との導通（接続）が図られる。
【０００８】
ここで、ばね片４３１は両者の間隔が上方ほど幅狭となるように傾斜し且つ上端間はピン型栓刃が挿入し易いように上方ほど間隔が拡がるように傾斜させてある。また、ばね片４３２も上方ほどばね片４３１に近づくように傾斜させ、上端部は逆に上方ほどばね片４３１から遠ざかるように傾斜させてある。これにより、平型栓刃が挿入し易いようになっている。
【０００９】
一方、ボディ４０１ａの略中央部には長手方向に沿って接地用収納凹所４４０が設けてある。この接地用収納凹所４４０に収納される接地用刃受ばねブロック４６０は、一対の接地用接触子受け部４６１，４６１と、接地用端子部４６２とを板状の金属部材を折曲することにより、略直線状に一体に形成されている。また、接地用接触子受け部４６１，４６１は接地用刃受ばねブロック４６０の両端部に設けられており、互いに対向する一対のばね片４６１ａをそれぞれ備えている。また、接地用刃受ばねブロック４６０の中央部に設けられた端子部４６２は、接地用端子片４６２ａ及び接地用当接片４６２ｂを備えて鎖錠ばね４１４並びに解除釦４１５とともに速結端子構造を構成している。
【００１０】
上記従来構成によれば、図７６に示すように互いに平行に対向する一対の平型栓刃５００を有するＡ型プラグＰ１、あるいは図７７に示すように互いに平行に対向する一対の平型栓刃５００とピン型の接地極用接触子（接地用のピン型栓刃）５０１とを有する接地極付きのＡ型プラグＰ２と、図７８又は図７９に示すように互いに平行に対向する一対のピン型栓刃５０２を有するＣＥＥプラグＰ３，Ｐ４とを、アダプタを使わずに１つのコンセントに接続することが可能となる。
【００１１】
ところで、国あるいは地域によっては図８０に示すような所謂Ｃ型プラグＰ５が用いられており、このＣ型プラグＰ５に対応したコンセントとして、図８１〜図８４に示すものが提供されている。
【００１２】
上記コンセントＣ０の器体１は、図８５及び図８６に示す埋込型の配線器具用のプレート枠１１０に該プレート枠１１０の開口窓１１１から器体１の前面が露出する形で取り付けることができる寸法に形成されている。器体１は、合成樹脂製であって前面が開放された直方体状に形成されたボディ１０と、合成樹脂製であって前面が開放された直方体状に形成されたカバー２０とを結合して形成される。ここで、ボディ１０とカバー２０とを結合するには、ボディ１０の前面とカバー２０の後面とを当接させた状態で、ボディ１０の後壁に形成された一対の挿通孔１８（図８２参照）を通してボディ１０の後方から一対のタッピンねじ８０を挿入し、カバー２０の後面から後方へ突出した取付部２８（図８２参照）のねじ孔２８ａへタッピンねじよりなる組立ねじ８０を螺着すればよい。
【００１３】
また、カバー２０には、図８０に示すＣ型プラグＰ５の円柱状のプラグ本体５１１が前方から嵌合される凹所２４が形成され、凹所２４の底面には、プラグ本体５１１から導出された一対のピン型栓刃５０２が差し込まれる一対のピン型栓刃挿入口２６が形成されている。なお、カバー２０の凹所２４の内側面には、円柱状のプラグ本体５１１の軸方向に平行して形成された一対の突条部５１３をガイドするための一対のガイド溝２９ａが形成されている。すなわち、凹所２４はプラグ本体５１１の形状に合わせて形状が設定されている。
【００１４】
ところで、Ｃ型プラグＰ５のプラグ本体５１１には一対の接地極５１４が設けてあり、カバー２０の凹所２４には、プラグ本体５１１の接地極５１４に接触する略逆Ω形の接地部材４０の両端部よりなる接触片４２をカバー２０の後面側から凹所２４内に引き込むとともに接触片４２の移動空間を確保するためのスリット２７が形成されている。スリット２７は凹所２４の底面と内側面とにわたってＬ字状に形成されている。ここで、接地部材４０の接触片４２は、接地部材４０の基端片４１よりも細幅に形成されるとともに基端片４１からの延出方向に沿って凹溝４２ａが形成され可撓性を有するようになっている。また、一対の接触片４２は、先端側が互いに近づく向きに付勢され凹所２４の内側面から内方へ突出しているので、器体１の前方からＣ型プラグＰ５のプラグ本体５１１が嵌め込まれた時に、接地極５１４に当接し外方へ撓んだ状態で接地極５１４と確実に接触するようになっている。
【００１５】
ボディ１０は両側壁間にわたって接地部材収納室１２が形成され、接地部材収納室１２の略中央の両側にそれぞれ刃受ばね収納室１５，１５が形成され、各刃受ばね収納室１５それぞれに隣接して端子収納室１４，１４が形成され、接地部材収納室１２に連通する端子収納室１３が形成されている。ここに、各端子収納室１３，１４，１４はボディ１０の４隅のうちの３箇所に分かれて形成されている。
【００１６】
ボディ１０の刃受ばね収納室１５，１５には、刃受ばね３２，３２が収納されている。各刃受ばね３２は、向かい合う一対のばね片３２ａを備えた略逆Ω形に形成され、両ばね片３２ａ間の中間部が連結片３４により後述の端子板３５に連結されている。
【００１７】
各端子収納室１４には、一対の端子片３５ａを有する端子板３５と一対の鎖錠ばね３６と解除釦３７とが収納され、既に説明したように端子片３５ａと鎖錠ばね３６と解除釦３７とで速結端子を構成している。
【００１８】
接地部材収納室１２には、略逆Ω形に形成された接地部材４０の短冊状の基端片４１側が収納される。接地部材４０の基端片４１には、ボディ１０の後壁に形成された一対の挿通孔１８（図８２参照）を通してボディ１０の後方から挿入された一対の組立ねじ８０が挿通される一対の挿通孔４３が形成されている。また、端子収納室１３には、上述の端子収納室１４と同様に、一対の端子片４５ａを有する接地端子板４５と一対の鎖錠ばね３６と解除釦３７とが配設され、端子片４５ａと鎖錠ばね３６と解除釦３７とで速結端子を構成している。
【００１９】
ところで、カバー２０は外側面の４隅に鍔部２１を除いて面取り部２０ａを形成してある。つまり、鍔部２１の外形は四角形となっている。ボディ１０の両側面には、プレート枠１１０に結合するための係止爪２３が２個ずつ突設されている。ここに、係止爪２３は、前方ほどボディ１０の側面からの突出量を大きくするように傾斜した傾斜面２３ａ（図８７参照）が形成されている。また、カバー２０の鍔部２１の両側面の後部には、後面が係止爪２３の前面と略同一平面上に位置するような位置決め用突部２５が各係止爪２３の両側に突設されている。すなわち、カバー２０の鍔部２１の両側面の後部には位置決め用突部２５が各４つずつ突設されている。
【００２０】
上記コンセントを施工するには、図８５及び図８６に示すプレート２００を用いる。プレート２００は、器体１を保持するプレート枠１１０と、プレート枠１１０を覆って見栄えを良く施工する化粧プレート１２０とからなる。
【００２１】
プレート枠１１０は、器体１の前後方向における中間部を保持する矩形筒状の保持部１１６を備え、保持部１１６の前端縁に連続一体に形成された一対の枠片１１３の一端部同士及び他端部同士をそれぞれ保持部１１６の前端縁に連続一体に形成された横片１１２で連続一体に結合することによって、器体１の前面を露出させる矩形状の開口窓１１１を中央部に備えた矩形枠状の枠本体１１０ａを形成している。ここにおいて、保持部１１６の前端縁は全周にわたって露出しており、器体１の係止爪２３が係止される保持爪１１５が枠片１１３に平行な保持部１１６の前端縁から前方へ突設されている。ここに、プレート枠１１０は、合成樹脂製であって、絶縁性を有している。なお、各保持爪１１５の先端部には、器体１の係止爪２３をプレート枠１１０の前面側から挿入するために、先端側ほど互いの距離を広げるように傾斜した傾斜面となった誘導部１１５ａが設けてある（図８７参照）。
【００２２】
一方、枠片１１３において開口窓１１１に臨む一面には、上記保持爪２３の撓む空間を確保するための溝１１７が各２つずつ設けられ、各溝１１７の両側に器体１の鍔部２１に突設された位置決め用突部２５を案内するガイド溝１１４が設けられている。しかして、器体１は、器体１の鍔部２１の後面の周部が保持部１１６の前端縁に当接した状態でプレート枠１１０に保持され、器体１の前面が開口窓１１１から露出する。
【００２３】
したがって、プレート枠１１０に器体１を取り付ける際には、器体１の後端部をプレート枠１１０の前方から押し込むと、係止爪２３の傾斜面２３ａと保持爪１１５の誘導部１１５ａとが当接して保持爪１１５が撓み、さらに押しこむことにより係止爪２３が保持爪１１５に係止され、位置決め用突部２５の後面が保持部１１６の前端縁に当接する。
【００２４】
ところで、プレート枠１１０の各横片１１２の中間部には、プレート枠１１０を、前面が開口した有底円筒状の埋込型ボックス（いわゆるＣ型ボックス）に取付金具９０を用いて取り付ける際に使用するねじ９７が挿通される固定用孔１３２が設けられている。取付金具９０は略コ字形であって、中央部に上記ねじ９７が挿通されるねじ挿通孔９２が穿孔された矩形板状の基端片９１の両端部から延設された両脚片９４それぞれの先端部に上記埋込型ボックスの内周面に食い込ませる爪９４ａが形成されている。また、プレート枠１１０の各枠片１１３の中間部には、プレート枠１１０を壁面等の施工面に直付けするためのねじ（図示せず）が挿通されるねじ挿通孔１３３が設けられている。なお、上記埋込型ボックスは合成樹脂などにより形成され、上記爪９４ａが食い込むことができるようになっている。
【００２５】
また、プレート枠１１０の４隅には、化粧プレート１２０の後面から突設した係止突起１２５を係止する化粧プレート係止孔１３５が設けてあり、化粧プレート係止孔１３５に係止突起１２５を挿入係止することにより、プレート枠１１０の前面を覆う形で化粧プレート１２０を着脱自在に取り付けることができるようになっている。化粧プレート１２０は、絶縁性を有する合成樹脂を用いて形成されたものであって、プレート枠１１０の前面を覆う矩形状の主部１２１と、主部１２１の周縁から全周に亙って後方に突出する側壁１２２とを連続一体に形成した略箱形に形成される。係止突起１２５は主部１２１の後面側の４隅に突設してある。また、主部１２１の中央部には、プレート枠１１０に取り付けた器体１の前面を露出させる開口窓１２１ａが設けてある。しかして、施工時には、プレート枠１１０の前方から器体１をプレート枠１１０に取り付けた後に、プレート枠１１０の前方から化粧プレート１２０を取り付ければ良い。
【００２６】
化粧プレート１２０の側壁１２２のうちの各対向面間の距離は、それぞれプレート枠１１０の対応する部位の幅寸法よりも大きくしてある。すなわち、施工面に配設したプレート枠１１０の前面側に化粧プレート１１０を取着したとき、プレート枠１１０が化粧プレート１２０の内側に収まり、化粧プレート１２０の側壁１２２の先端縁が施工面にほぼ当接する。その結果、プレート枠１１０と化粧プレート１２０との突き合わせ面が施工面よりも前方へ出ることがなく、両者の突き合わせの線が側面からほとんど見えなくなり外観が向上する。また、化粧プレート１２０の側壁１２２の内側面にはプレート枠１１０の枠本体１１０ａの外側面に当接するリブ１２７が突設され、このリブ１２７によって化粧プレート１２０のがたつきが防止される。
【００２７】
化粧プレート１２０の側壁１２２には一対の切欠部１２６（図８５参照）が設けてあり、この切欠部１２６に治具（マイナスドライバの先端部など）を差し込んで化粧プレート１２０をプレート枠１１０から離す向きの力を作用させると、化粧プレート１２０の係止突起１２５とプレート枠１１０の化粧プレート係止孔１３５との係合状態が解除され、化粧プレート１２０をプレート枠１１０から取り外すことができる。また、プレート枠１１０は、上記切欠部１２６に先端部が収まる薄肉の爪片１２９が枠本体１１０ａの周縁から突設されており、切欠部１２６に差し込んだ治具が爪片１２９の前面に当接し、化粧プレート１２０をプレート枠１１０から取り外す際に治具によって施工面に傷がつくのを防ぐことができるのである。
【００２８】
【発明が解決しようとする課題】
しかしながら、Ｃ型プラグＰ５は接地極５１４がプラグ本体５１１の外周面に配設されているため、突台４０２の前面に接地用接触子挿入口４０５が設けられている従来のコンセントに対しては、ピン型栓刃５０２を接触子挿入口４０３に挿入することができても接地極５１４を接続することができず、実際上はＣ型プラグＰ５には対応できなかった。
【００２９】
本発明は上記事情に鑑みて為されたものであり、その目的とするところは、接触子の形状や接地極の配置等が異なる複数種のプラグを接続することが可能なコンセント並びにコンセント装置を提供することにある。
【００３０】
【課題を解決するための手段】
請求項１の発明は、上記目的を達成するために、施工面に固定される取付部材に保持さ
れて設置される器体と、器体に設けた差込部に挿入されたプラグの栓刃を受ける刃受部材と、刃受部材に電気的に接続され器体に設けた電線挿入口に挿入された電線を保持して電線を刃受部材と電気的に接続する端子部とを備え、プラグの少なくとも一部が嵌合する凹所が器体の前面に設けられ、凹所の底面に差込部が設けられるとともに凹所の底面を除く部位でプラグが具備する接地極と接触導通する接地部材が器体内に収納され、差込部はプラグの栓刃が挿入される一対の栓刃挿入口と、プラグの接地極用の栓刃が挿入される接地極用の栓刃挿入口とを有し、一対の栓刃挿入口は平板状の平型栓刃が挿入される平型栓刃挿入口とピン型の栓刃が挿入されるピン型栓刃挿入口とを連通させるとともに、それぞれの平型栓刃挿入口の中心とピン型栓刃挿入口の中心とを結ぶ直線が互いに平行とならない形状に形成されることを特徴とし、従来のＣ型プラグ用のコンセントと同様にＣ型プラグの接地極と接触導通する接地部材と、Ａ型プラグの接地極用を含む栓刃が挿入される栓刃挿入口及び各栓刃挿入口に挿入される栓刃を受ける刃受部材とが設けてあるため、Ｃ型プラグとＡ型プラグのように接触子の形状や接地極の配置等が異なる複数種のプラグを接続することが可能となる。しかも、差込部が凹所の底面に設けられているから、差込部への異物等の誤挿入による感電事故の発生を防いで感電保護性能を向上させることができる。また、凹所の底面に対して平型栓刃挿入口及び接地極用の栓刃挿入口の位置をずらし、接地極付きのＡ型プラグのように寸法の大きい外郭と接地部材とが干渉しないようにして接続を可能とする。
【００３１】
請求項２の発明は、請求項１の発明において、器体が取付部材と別体に形成されることを特徴とし、取付部材を用いて他のコンセント等と一緒に施工面に施工することができるためにバリエーション展開が容易になる。
【００３２】
請求項３の発明は、請求項１の発明において、器体が取付部材の少なくとも一部と一体に形成されることを特徴とし、部品点数の削減や施工作業の簡素化が図れる。
【００３３】
請求項４の発明は、請求項１の発明において、２つの器体が少なくとも一部で連結されてなることを特徴とし、取付部材を用いて２個の器体を並べて施工した場合よりも器体の寸法を小さくして小型化を図ることができる。
【００３４】
請求項５の発明は、請求項１の発明において、プラグの栓刃が挿入される差込部が器体前面の凹所の隣に設けられ、この差込部に挿入されたプラグの栓刃を受ける刃受部材、刃受部材に電気的に接続され器体に設けた電線挿入口に挿入された電線を保持して電線を刃受部材と電気的に接続する端子部が器体内に収納されることを特徴とし、取付部材を用いて２種類のコンセントの器体を並べて施工した場合よりも器体の寸法を小さくして小型化を図ることができる。
【００３５】
請求項６の発明は、請求項１記載のコンセントと、施工面に固定され２個の器体を並べて保持する取付部材とを備えたことを特徴とし、２つのコンセントを並列して配置することができるため、取付部材を用いて２つのコンセントを施工する場合に比較して施工スペースが少なくて済む。
【００３６】
請求項７の発明は、請求項１記載のコンセントと、請求項１記載のコンセントと異なる構造のコンセントと、施工面に固定され２種類のコンセントの器体を並べて保持する取付部材とを備えたことを特徴とし、種類の異なる２つのプラグを同時に接続することが可能なコンセント装置が実現できるとともに、コンセント装置としてのバリエーション展開が容易になる。
【００３７】
【発明の実施の形態】
以下に説明する基本例及び実施形態では、特に断りがなければ、図１の向きにおいて上下左右の方向を規定し、また同図における正面を前面という。
【００３８】
（基本例１）
本基本例におけるコンセントＣ１の構成を図１〜図３に示す。但し、本基本例の基本的な構成はＣ型プラグＰ５に対応した従来のコンセントと共通であり、共通する構成については同一の符号を付して説明あるいは図示を省略する。
【００３９】
図３はカバー２０を取り外した状態のボディ１０の正面図（前面図）を示している。ここで、ボディ１０の刃受ばね収納室１５，１５に収納される一対の刃受ばね３２は、互いに対向する一対のばね片３２ａと、両ばね片３２ａの一方の側面に対向するばね片３２ｂとを備え、連結片３４により端子板３５に連続一体に連結されている。
【００４０】
また、カバー２０前面の凹所２４の底面には一つのプラグに設けた一対の栓刃及び接地極用の栓刃を挿入することができる差込部５０が１口分形成されている。差込部５０は各刃受ばね３２のばね片３２ａ，３２ｂに対向する部位にそれぞれ開口する２個の挿入口５１，５１と、挿入口５１とは別に形状の異なる挿入口５２とを備えている。各挿入口５１は平型栓刃が差し込まれる平型栓刃挿入口５１ａと、ピン型栓刃が差し込まれるピン型栓刃挿入口５１ｂとを連通させた形状に形成されている。つまり、平型栓刃挿入口５１ａは矩形状であって、長手方向の中間部の一側縁に円状のピン型栓刃挿入口５１ｂが連通した形状になっている。また、平型栓刃挿入口５１ａの中心間の距離よりも、ピン型栓刃挿入口５１ｂの中心間の距離の方が広くなっている。平型栓刃挿入口５１ａに挿入される平型栓刃は、図３に示すように刃受ばね３２の一対のばね片３２ａの側面とばね片３２ｂとの間で挟持され、ピン型栓刃挿入口５１ｂに挿入されるピン型栓刃は一対のばね片３２ａの間で挟持される。なお、平型栓刃挿入口５１ａは電圧線側と接地線側とで長さ寸法を異ならせてある。
【００４１】
一方、挿入口５２は接地極用の栓刃（ピン型栓刃）を挿入するものであり、ボディ１０に形成された接地部材収納室１２の下側端部と対向する位置に設けてある。ここで、接地部材収納室１２に収納される接地部材４０の基端片４１の下側端部には、図３に示すように互いに対向する一対のばね片６１，６１からなる接地極用の刃受部材６０が接地部材４０と連続一体に形成される。つまり、挿入口５２に挿入される接地極用の栓刃（ピン型栓刃）は一対のばね片６１の間で挟持されて接地極用の刃受部材６０と接続される。
【００４２】
ところで、上記構成のコンセントＣ１は、図６に示すように従来例で説明したプレート２００を用いて施工することができるが、図４及び図５に示すプレート１００を用いることも可能である。プレート１００は、器体１を保持するプレート枠１１０と、プレート枠１１０を覆う化粧プレート１２０とからなる。但し、プレート枠１１０並びに化粧プレート１２０ともに、従来例で説明したプレート２００のプレート枠１１０及び化粧プレート１２０とほぼ共通の構成を有しているので、共通する構成については同一の符号を付して説明を省略する。
【００４３】
プレート枠１１０は上下寸法に対して左右寸法を大きくした略矩形状に形成され、器体１の前面を露出させる矩形状の開口窓１１１を中央部に備えている。この開口窓１１１の周縁には、器体１の係止爪２３が係止される保持爪１１５、上記保持爪２３の撓む空間を確保するための溝１１７が各２つずつ設けられ、各溝１１７の両側に器体１の鍔部２１に突設された位置決め用突部２５を案内するガイド溝１１４が設けられている。なお、器体１の取付構造は図６に示した従来のプレート２００と同一であるから説明は省略する。
【００４４】
ところで、プレート枠１１０の長手方向両端の各横片１１２の中間部前面にはそれぞれ凹所（図示せず）が形成してある。各凹所には、プレート枠１１０を埋込ボックス（図示せず）に取り付けるためのボックスねじを挿通する長孔状のボックス用孔１３２と、プレート枠１１０を壁面等の施工面に直付けするためのねじが挿通されるねじ挿通孔１３３と、施工面を形成する壁パネル等に取り付ける際に使用するはさみ金具（図示せず）を係止するはさみ金具係止孔１３４とが設けてある。
【００４５】
また、プレート枠１１０の４隅には、化粧プレート１２０の後面から突設した係止突起１２３を係止する化粧プレート係止孔１３５が設けてあり、化粧プレート係止孔１３５に係止突起１２３を挿入係止することでプレート枠１１０の前面を覆う形で化粧プレート１２０を着脱自在に取り付けることができるようになっている。なお、化粧プレート１２０はプレート枠１１０と同様に上下寸法に対して左右寸法を大きくした略矩形状に形成されており、プレート枠１１０に取り付けられてプレート枠１１０全体を覆うものである。
【００４６】
而して、本基本例のコンセントＣ１では、Ｃ型プラグＰ５やいわゆるＣＥＥプラグＰ３，Ｐ４（図７８及び図７９参照）を接続する場合には一対のピン型栓刃５０２を各挿入口５１のピン型栓刃挿入口５１ｂに挿入し、図７６に示すように一対の平型栓刃５００を有するプラグ（いわゆるＡ型プラグ）Ｐ１を接続する場合には各平型栓刃５００を平型栓刃挿入口５１ａに挿入し、あるいは図７７に示すように一対の平型栓刃５００と接地極用の栓刃５０１を有するプラグ（いわゆる接地極付Ａ型プラグ）Ｐ２を接続する場合には各平型栓刃５００を平型栓刃挿入口５１ａに挿入するとともに接地極用の栓刃５０１を接地極用の挿入口５２に挿入すればよく、接触子の形状や接地極の配置等が異なる複数種のプラグを接続することが可能である。また、差込部５０が凹所２４の底面に設けてあるため、Ａ型プラグＰ１，Ｐ２の差込部が器体の前面に設けられているものに比較して感電事故の保護性能を向上することができる。
【００４７】
（基本例２）
本基本例のコンセントＣ２は、図７及び図８に示すように、基本例１の構成から接地極用の刃受部材６０を省略し、カバー２０として接地極用の挿入口５２を省略した形状のものを用いた例であって、接地極のない差込部５０を１口備えるものである。この構成ではボディ１０は基本例１に用いたものと同形状であって、カバー２０の形状を異ならせてある。つまり、刃受部材６０を具備しない従来例と同様の接地部材４０を用いる点及びカバー２０の形状が異なるのみであって、他の部材は基本例１のものと同じものを用いることができるから、部品品種の増加を抑制しながら多品種展開が容易になるのである。
【００４８】
（実施形態１）
ところで、基本例１のコンセントＣ１においては、プラグが接続されていない状態で下側の接触片４２と接地極用の挿入口５２とが前方から見たときに一部で重なっているため、例えば接地極付きのＡ型プラグＰ２のように比較的に寸法の大きいプラグを接続する場合、図１３に示すようにプラグの外郭（同図において２点波線で表示）が接触片４２と干渉するために接続が困難、あるいは不可能になる虞がある。
【００４９】
そこで、本実施形態のコンセントＣ３は、図９〜図１１に示すように各挿入口５１を平型栓刃挿入口５１ａの長手方向の一端部の一側縁にピン型栓刃挿入口５１ｂが連通した形状に形成し、接地極用の挿入口５２の凹所２４底面における位置を基本例１のコンセントＣ１に対して上方にずらすことによって、各栓刃挿入口５１における平型栓刃挿入口５１ａの中心とピン型栓刃挿入口５１ｂの中心とを結ぶ直線が互いに平行とならないようにし、下側の接触片４２と接地極用の挿入口５２との間に前方から見たときに隙間が生じるようにしてある。
【００５０】
また、一対の平型栓刃挿入口５１ａ及び接地極用の挿入口５２の位置をずらしたことに伴い、図１１に示すように各刃受部材３２のばね片３２ｂの位置も上方にずらしてあり、平型栓刃挿入口５１ａに挿入した平型栓刃５００が片方（上側）のばね片３２ａとばね片３２ｂの間で狭持される。さらに、一対のばね片６１，６１からなる接地極用の刃受部材６０も接地部材４０の中心よりの位置にずらして設けてある。
【００５１】
本実施形態のコンセントＣ３は上述のように構成したものであるから、接地極付きのＡ型プラグＰ２のように外郭の寸法が大きいプラグを接続する場合でも、図１２に示すようにプラグの外郭（同図において２点破線で表示）と接触片４２とが干渉しないものである。なお、基本例１のコンセントＣ１においては、接地極用の刃受部材６０と他の刃受部材３２との絶縁距離が確保し易い点、Ａ型プラグＰ１，Ｐ２の平型栓刃５００を受けるばね片３２ｂの幅寸法が大きく取れる点、並びに一対のばね片３２ａとばね片３２ｂとでＡ型プラグＰ１，Ｐ２の平型栓刃５００を受けることができる点が本実施形態に対して優位な点となる。
【００５２】
（実施形態２）
本実施形態は、図１４及び図１５に示すように、実施形態１のコンセントＣ３をプレート１００’を用いて左右に２個並べて施工することにより、２つのプラグを同時に接続することが可能なコンセント装置を実現したものである。ここで、本実施形態で用いるプレート１００’はプレート枠１１０’と化粧プレート１２０’からなる。プレート枠１１０’は、図１６及び図１７に示すように２個分の器体１の前面を露出させるために左右方向の寸法を倍にした矩形状の開口窓１１１’を中央部に備えている。この開口窓１１１’の周縁には、器体１の係止爪２３が係止される保持爪（図示せず）、上記保持爪２３の撓む空間を確保するための溝（図示せず）が各２組ずつ設けられている。なお、器体１の取付構造は図６に示した従来のプレート２００と同一であるから説明は省略する。
【００５３】
ところで、上記プレート枠１１０’においては、開口窓１１１’の左右方向の寸法を倍にしたことに伴ってボックスねじ用孔１３２が器体１と干渉してしまうことを防ぐために、器体１のカバー２０背面がプレート枠１１０’の横片１１２’の凹所底面よりも前方へ突出するように枠本体１１０ａの厚み寸法も大きくしている。そして、ボックスねじ用孔１３２’が穿設された突片１３２ａ’が、プレート枠１１０’に器体１を取り付けた状態でボディ１０の左右両側面略中央に形成されている凹部１０ａ内に収まるようにしてある（図１７参照）。すなわち、本実施形態を施工するには、先にボックスねじ２１０を用いてプレート枠１１０’を埋込ボックスに取り付けておき、プレート枠１１０’の開口窓１１１’にプレート枠１１０’の前方から後端部を挿入するようにして器体１を取り付ければ良く、器体１を取り付けた状態では図１７に示すようにボディ１０の左右両側面略中央に形成されている凹部１０ａ内に突片１３２ａ’及びボックスねじ２１０が収まり、ボックスねじ２１０が器体１と干渉することがないものである。なお、プレート枠１１０’に合わせて化粧プレート１２０’の厚み寸法も大きくしてあることは言うまでもない。
【００５４】
上述のように本実施形態のコンセント装置では、２つのコンセントＣ３を並列して配置することができるため、基本例１におけるプレート１００を用いて２つのコンセントＣ３を施工する場合に比較して施工スペースが少なくて済むという利点がある。
【００５５】
（基本例３）
本基本例は、図１８及び図１９に示すように、基本例２のコンセントＣ２をプレート１００’を用いて左右に２個並べて施工することにより、２つのプラグを同時に接続することが可能なコンセント装置を実現したものである。ここで、本基本例で用いるプレート１００’は実施形態２で説明したものと同じものである。
【００５６】
上述のように本基本例のコンセント装置では、２つのコンセントＣ２を並列して配置することができるため、基本例１におけるプレート１００を用いて２つのコンセントＣ２を施工する場合に比較して施工スペースが少なくて済むという利点がある。
【００５７】
（実施形態３）
本実施形態におけるコンセントＣ４は、図２０及び図２１に示すように、実施形態１のコンセントＣ３の器体１を左右に２個並べて連結し一体としたような器体１’を備え、器体１’の前面には平面視略円形の２つの凹所２４，２４が設けられ、両凹所２４，２４がガイド溝２９ａを介して連通させてある。各凹所２４，２４の底面には実施形態１のコンセントＣ３と同じ構成の差込部５０（一対の挿入口５１及び接地極用の挿入口５２）が設けられ、器体１’内部には各差込部５０に挿入される栓刃を受ける刃受部材（図示せず）が収納される。なお、器体１’内部の構成は基本的に実施形態１のコンセントＣ３と共通であるから図示並びに説明は省略する。
【００５８】
上記構成によれば、実施形態１のコンセントＣ３の器体１を２個左右に並べた場合よりも器体１’の長手方向の寸法を小さくすることができる。ここで、本実施形態で用いるプレート１００”は、図２２に示すように基本的に実施形態２で用いるプレート１００’と共通の構成を有しているが、器体１’の長手方向の寸法に合わせて開口窓１１１”の長手方向の寸法が実施形態２で用いるプレート枠１１０’における開口窓１１１’の長手方向の寸法よりも若干小さくしてある。而して、本実施形態を施工するには実施形態２と同様に、先にボックスねじ２１０を用いてプレート枠１１０”を埋込ボックスに取り付けておき、プレート枠１１０”の開口窓１１１”にプレート枠１１０”の前方から後端部を挿入するようにして器体１’を取り付ければ良く、器体１’を取り付けた状態では図２２に示すようにボディ１０’の左右両側面略中央に形成されている凹部１０ａ’内に突片１３２ａ”及びボックスねじが収まり、ボックスねじが器体１’と干渉することがないものである。
【００５９】
なお、凹所２４の内周縁同士が交わらないように２つの凹所２４，２４が設けてあるので、Ｃ型プラグＰ５のプラグ本体５１１を各凹所２４，２４に嵌合して２つのＣ型プラグＰ５を同時に使用することができる。
【００６０】
（基本例４）
本基本例のコンセントＣ５は、図２３及び図２４に示すように、実施形態３の構成から接地極用の刃受部材６０を省略し、カバー２０’として接地極用の挿入口５２を省略した形状のものを用いた例であって、接地極のない差込部５０を２口備えるものである。この構成ではボディ１０’は実施形態３に用いたものと同形状であって、カバー２０’の形状を異ならせてある。つまり、刃受部材６０を具備しない従来例と同様の接地部材４０を用いる点及びカバー２０’の形状が異なるのみであって、他の部材は実施形態３のものと同じものを用いることができるから、部品品種の増加を抑制しながら多品種展開が容易になるのである。
【００６１】
（実施形態４）
本実施形態は、図２５及び図２６に示すように、実施形態１のコンセントＣ３と、器体２２０の前面にＡ型プラグＰ１，Ｐ２の栓刃が挿通される差込部２２１が設けられてなるコンセントＣＡとをプレート１００を用いて左右に並べて施工することにより、種類の異なる２つのプラグを同時に接続することが可能なコンセント装置を実現したものである。
【００６２】
コンセントＣＡは従来周知の構成を有し、カバー２２０ｂとボディ２２０ａを結合してなる合成樹脂製の器体２２０の前面（カバー２２０ｂの前面）に一つのプラグに設けた一対の栓刃及び接地極用の栓刃を挿入することができる差込部２２１が１口分形成され、差込部２２１は器体２２０内に収納される図示しない刃受ばねのばね片に対向する部位にそれぞれ開口する２個の挿入口２２２，２２２と、挿入口２２２とは別に形状の異なる挿入口２２３とを備えている。各挿入口２２２は平型栓刃が差し込まれる平型栓刃挿入口２２２ａと、ピン型栓刃が差し込まれるピン型栓刃挿入口２２２ｂとを連通させた形状に形成されている。つまり、平型栓刃挿入口２２２ａは矩形状であって、長手方向の中間部の一側縁に円状のピン型栓刃挿入口２２２ｂが連通した形状になっている。また、器体２２０前端部の上下両側面には、コンセントＣ３における係止爪２３及び位置決め用突部２５と同じ機能を有する係止爪及び位置決め突部（何れも図示せず）が各２つずつ設けられている。なお、刃受ばねを含めた基本的な構造は従来周知であるから詳しい説明は省略する。
【００６３】
一方、プレート１００は基本例１におけるプレート１００とほぼ共通の構成を有しており、共通する構成には同一の符号を付して説明を省略する。本実施形態におけるプレート枠１１０は、図２７に示すように略正方形の開口窓１１１に隣接して略長方形の開口窓１１１ａが枠本体１１０ａに設けられ、開口窓１１１ａの周縁には開口窓１１１と同様に器体２２０の係止爪が係止される保持爪（図示せず）、保持爪の撓む空間を確保するための溝（図示せず）が各２つずつ設けられ、各溝の両側に器体２２０の位置決め用突部を案内するガイド溝（図示せず）が設けられている。また、化粧プレート１２０には２つのコンセントＣ３，ＣＡの器体１，２２０前面を露出させる開口窓１２１ａが設けてある。
【００６４】
上述のように構成されるプレート１００を用いれば、２種類のコンセントＣ３，ＣＡを左右に並べて施工面に配置することができるため、各コンセントＣ３，ＣＡを別々に配置する場合に比較して施工スペースが少なくて済むとともにコンセント装置のバリエーション展開が容易になるものである。
【００６５】
ところで、コンセントＣＡのカバー２２０ｂとしては、図２８及び図２９に示すように、差込部２２１に平型栓刃挿入口２２２ａのみを備える構成のものを用いてもよく、ボディ２２０ａ及び刃受ばね等を共通に用いてカバー２２０ｂのみを交換すれば、平型栓刃挿入口２２２ａのみを設けてＡ型プラグＰ１，Ｐ２だけが接続可能な接地極付きのコンセントＣＡを構成することができる。あるいは、コンセントＣＡのカバー２２０ｂとして、図３０及び図３１に示すように、各挿入口２２２が平型栓刃挿入口２２２ａの長手方向の一端部の一側縁にピン型栓刃挿入口２２２ｂが連通した形状に形成された構成のものを用いてもよい。
【００６６】
（基本例５）
本基本例は、図３２及び図３３に示すように、基本例２のコンセントＣ２と、実施形態４で説明したコンセントＣＡとをプレート１００を用いて左右に並べて施工することにより、種類の異なる２つのプラグを同時に接続することが可能なコンセント装置を実現したものである。
【００６７】
本基本例においても、２種類のコンセントＣ２，ＣＡを左右に並べて施工面に配置することができるため、各コンセントＣ２，ＣＡを別々に配置する場合に比較して施工スペースが少なくて済むとともにコンセント装置のバリエーション展開が容易になるものである。
【００６８】
また、コンセントＣＡのカバー２２０ｂとしては、図３４及び図３５に示すように、差込部２２１に平型栓刃挿入口２２２ａのみを備える構成のものを用いてもよく、ボディ２２０ａ及び刃受ばね等を共通に用いてカバー２２０ｂのみを交換すれば、平型栓刃挿入口２２２ａのみを設けてＡ型プラグＰ１，Ｐ２だけが接続可能な接地極付きのコンセントＣＡを構成することができる。
【００６９】
（基本例６）
本基本例は、図３６及び図３７に示すように、平型栓刃挿入口５１ａのみからなる挿入口５１を備えたＣ型プラグＰ５用の従来のコンセントＣ０と、実施形態４で説明したコンセントＣＡとをプレート１００を用いて左右に並べて施工することにより、種類の異なる２つのプラグを同時に接続することが可能なコンセント装置を実現したものである。
【００７０】
本基本例においても、２種類のコンセントＣ０，ＣＡを左右に並べて施工面に配置することができるため、各コンセントＣ０，ＣＡを別々に配置する場合に比較して施工スペースが少なくて済むとともにコンセント装置のバリエーション展開が容易になるものである。
【００７１】
また、コンセントＣＡのカバー２２０ｂとしては、図３８及び図３９に示すように、差込部２２１に平型栓刃挿入口２２２ａのみを備える構成のものを用いてもよく、ボディ２２０ａ及び刃受ばね等を共通に用いてカバー２２０ｂのみを交換すれば、平型栓刃挿入口２２２ａのみを設けてＡ型プラグＰ１，Ｐ２だけが接続可能な接地極付きのコンセントＣＡを構成することができる。
【００７２】
（基本例７）
本基本例におけるコンセントＣ６は、図４０に示すように、器体２３０前面にはコンセントＣ０と同様にＣ型プラグＰ５に対応した凹所２４、接触片４２並びに差込部５０等と、コンセントＣＡと同様に平型栓刃挿入口２２２ａとピン型栓刃挿入口２２２ｂとを連通させた形状の挿入口２２２並びに接地極用の挿入口２２３からなる差込部２２１とが左右に列設されており、２種類のコンセントＣ０，ＣＡの器体を左右に並べて連結し一体としたような構成を有している。なお、器体２３０内部の構成は基本的に基本例６の２種類のコンセントＣ０，ＣＡと共通であり、またプレート１００は基本的に実施形態４で用いるものと共通であるから、それぞれ図示並びに説明は省略する。
【００７３】
本基本例のコンセントＣ６は、２種類のコンセントＣ０，ＣＡを一体にしたような構成を有するため、各コンセントＣ０，ＣＡを別々に配置する場合に比較して施工スペースが少なくて済むとともにコンセント装置のバリエーション展開が容易になるだけでなく、個々のコンセントＣ０，ＣＡを施工する場合に比較して部品点数の削減や施工作業の簡素化が図れるという利点がある。なお、本基本例ではコンセントＣ０とＣＡを一体化したものを例示したが、一体化するコンセントの種類はこれに限定する趣旨ではなく、上述した各基本例及び実施形態のコンセントＣ１，…の何れの組み合わせでも本基本例のように構成することは可能である。
【００７４】
（基本例８）
本基本例のコンセントＣ１’は、図４１〜図４３に示すように、基本例１におけるコンセントＣ１とプレート１００を一体に形成した構成を有している。すなわち、本基本例のコンセントＣ１’の器体３００は、基本例１におけるコンセントＣ１の器体１と、プレート１００を構成するプレート枠１１０及び化粧プレート１２０とを一体に形成した合成樹脂成型品からなる。ここで、説明を容易にするために、基本例１におけるコンセントＣ１及びプレート１００と各々共通の構成を有する部分には同一の名称及び符号を付して詳細な説明を省略する。
【００７５】
図４１に示すように、器体３００前面の中央部にはコンセントＣ１と共通の凹所２４、接触片４２、差込部５０等が設けられ、器体３００内部には同じくコンセントＣ１と共通の刃受部材３２，６０や接地部材４０等が収納される。また、器体３００前面の凹所２４の左右両側には、器体３００背面側に開口するボックスねじ用孔１３２と連通する長孔状の取付孔３０１が設けられている。つまり、本基本例のコンセントＣ１’を施工する場合、器体３００前面から取付孔３０１及びボックスねじ用孔１３２に挿通したボックスねじにより埋込ボックスに取り付けることができる。なお、施工後に取付孔３０１を通して器体３００の前方からボックスねじの頭部が見えると見栄えがよくないので、本基本例においては取付孔３０１の形状に合わせて長円形に形成された隠蓋３０２を器体３００の前方より取付孔３０１に着脱自在に嵌着することで取付孔３０１を塞ぎ、ボックスねじの頭部が露出しないようにしている。
【００７６】
而して、本基本例のコンセントＣ１’は基本例１におけるコンセントＣ１とプレート１００を一体にしたような構成を有するため、コンセントＣ１とプレート１００を別体とする構成に比較して部品点数の削減や施工作業の簡素化が図れるという利点がある。
【００７７】
（基本例９）
本基本例のコンセントＣ２’は、図４４及び図４５に示すように、基本例２におけるコンセントＣ２とプレート１００を一体に形成した構成を有するものであって、基本例８の構成から接地極用の刃受部材６０を省略するとともに器体３００前面の凹所２４の底部から接地極用の挿入口５２を省略した例であって、接地極のない差込部５０を１口備えるものである。なお、その他の構成は基本例２及び基本例８と共通であるから図示並びに説明を省略する。
【００７８】
而して、本基本例のコンセントＣ２’も基本例２におけるコンセントＣ２とプレート１００を一体にしたような構成を有するため、基本例８と同様にコンセントＣ２とプレート１００を別体とする構成に比較して部品点数の削減や施工作業の簡素化が図れるという利点がある。
【００７９】
（実施形態５）
本実施形態のコンセントＣ３’は、図４６及び図４７に示すように、実施形態１におけるコンセントＣ３とプレート１００を一体に形成した構成を有するものであって、基本例８の構成において各挿入口５１を平型栓刃挿入口５１ａの長手方向の一端部の一側縁にピン型栓刃挿入口５１ｂが連通した形状に形成されたものである。なお、その他の構成は実施形態１及び基本例８と共通であるから図示並びに説明を省略する。
【００８０】
而して、本実施形態のコンセントＣ３’も実施形態１におけるコンセントＣ３とプレート１００を一体にしたような構成を有するため、基本例８と同様にコンセントＣ３とプレート１００を別体とする構成に比較して部品点数の削減や施工作業の簡素化が図れるという利点がある。
【００８１】
（実施形態６）
本実施形態のコンセントＣ３”は、図４８及び図４９に示すように、実施形態１におけるコンセント３と従来例で説明したプレート２００と略同一構成のプレートを一体に形成した構成を有している。すなわち、本実施形態のコンセントＣ３”の器体３１０は、実施形態１におけるコンセントＣ３の器体１と、プレートを構成するプレート枠及び化粧プレートとを一体に形成した合成樹脂成型品からなる。ここで、説明を容易にするために、実施形態１におけるコンセントＣ３及びプレート２００と共通の構成を有する部分には各々同一の名称及び符号を付して詳細な説明を省略する。
【００８２】
図４８に示すように、器体３１０前面の中央部にはコンセントＣ３と共通の凹所２４、接触片４２、差込部５０等が設けられ、器体３１０内部には同じくコンセントＣ３と共通の刃受部材３２，６０や接地部材４０等が収納される。また、器体３１０前面の凹所２４の左右両側には、図４９に示すように器体３１０背面側に開口するボックスねじ用孔１３２と連通する長孔状の取付孔３０１が設けられている。ここで、ボックスねじ用孔１３２は略円弧状の長孔部１３２ｂと長孔部１３２ｂの端部に連通する略円形の丸孔部１３２ｃからなるだるま孔状に形成され、ボディ１０の上下左右に４つ設けられている。つまり、国や地域によって埋込ボックスのボックスねじ用のねじ孔の位置や個数が異なるため、それら全てに対応可能としているものである。
【００８３】
而して、本実施形態のコンセントＣ３”を施工する場合、予め埋込ボックスのねじ孔に螺着しておいたボックスねじを器体３１０の背面側から丸孔部１３２ｃに挿通し、ボックスねじを丸孔部１３２ｃから長孔部１３２ｂに沿って移動させるように器体３１０を所望の位置まで回転させ、器体３１０前面から取付孔３０１を通してドライバでボックスねじを締め込むことにより埋込ボックスに取り付けることができ、隠蓋３０２で取付孔３０１を塞いでボックスねじの頭部が隠される。
【００８４】
但し、上述したように国や地域によって埋込ボックスのボックスねじ用のねじ孔の位置や個数が異なるため、図５０に示すように凹所２４の上下両側に取付孔３０１を設ける構成、あるいは図５１に示すように凹所２４の上下左右の合計４カ所に取付孔３０１を設ける構成としてもよい。
【００８５】
（実施形態７）
本実施形態のコンセントＣ３０は、図５２及び図５３に示すように、実施形態１における２個のコンセントＣ３と、実施形態２におけるプレート１００’を一体に形成した構成を有している。すなわち、本実施形態のコンセントＣ３０の器体３２０は、実施形態１における２個のコンセントＣ３の器体１と、プレート１００’を構成するプレート枠１１０’及び化粧プレート１２０’とを一体に形成した合成樹脂成型品からなる。ここで、説明を容易にするために、実施形態１におけるコンセントＣ３及び実施形態２におけるプレート１００’と各々共通の構成を有する部分には同一の名称及び符号を付して詳細な説明を省略する。
【００８６】
図５２に示すように、器体３２０前面にはコンセントＣ３と共通の凹所２４、接触片４２、差込部５０等が左右に２組並べて設けられ、器体３２０内部には同じくコンセントＣ３と共通の刃受部材３２，６０や接地部材４０等が２組収納される。また、器体３２０前面の各凹所２４の左右外側には、器体３２０背面側に開口するボックスねじ用孔（図示せず）と連通する長孔状の取付孔３２１が設けられている。つまり、本実施形態のコンセントＣ３０を施工する場合、器体３２０前面から取付孔３２１及びボックスねじ用孔に挿通したボックスねじにより埋込ボックスに取り付けることができ、取付孔３２１の形状に合わせて長円形に形成された隠蓋３２２で取付孔３２１を塞いでボックスねじの頭部が隠される。
【００８７】
而して、本実施形態のコンセントＣ３０は実施形態１における２個のコンセントＣ３とプレート１００’を一体にしたような構成を有するため、２個のコンセントＣ３とプレート１００’を別体とする構成に比較して部品点数の削減や施工作業の簡素化が図れるという利点がある。
【００８８】
（基本例１０）
本基本例のコンセントＣ２”は、図５４及び図５５に示すように、基本例２における２個のコンセントＣ２と実施形態２におけるプレート１００’を一体に形成した構成を有するものであって、実施形態７の構成から接地極用の刃受部材６０を省略するとともに器体３２０前面の各凹所２４の底部から接地極用の挿入口５２を省略した例であって、接地極のない差込部５０を２口備えるものである。なお、その他の構成は基本例２、実施形態２並びに実施形態７と共通であるから図示並びに説明を省略する。
【００８９】
而して、本基本例のコンセントＣ２”も基本例２における２個のコンセントＣ２と実施形態２におけるプレート１００’を一体にしたような構成を有するため、実施形態７と同様に２個のコンセントＣ２とプレート１００’を別体とする構成に比較して部品点数の削減や施工作業の簡素化が図れるという利点がある。
【００９０】
（実施形態８）
本実施形態のコンセントＣ４’は、図５６及び図５７に示すように、実施形態３における２個のコンセントＣ４とプレート１００”を一体に形成した構成を有するものであって、実施形態７の構成に対して２つの凹所２４，２４をガイド溝２９ａを介して連通させたものである。なお、その他の構成は実施形態３並びに実施形態７と共通であるから図示並びに説明を省略する。
【００９１】
而して、本実施形態のコンセントＣ４’も実施形態３における２個のコンセントＣ４とプレート１００”を一体にしたような構成を有するため、実施形態７と同様に２個のコンセントＣ４とプレート１００”を別体とする構成に比較して部品点数の削減や施工作業の簡素化が図れるとともに、実施形態７に比較して器体３２０の小型化が図れるという利点がある。
【００９２】
（基本例１１）
本基本例のコンセントＣ５’は、図５８及び図５９に示すように、基本例４における２個のコンセントＣ５とプレート１００”を一体に形成した構成を有するものであって、実施形態８の構成から接地極用の刃受部材６０を省略するとともに器体３２０前面の各凹所２４の底部から接地極用の挿入口５２を省略した例であって、接地極のない差込部５０を２口備えるものである。なお、その他の構成は基本例４、実施形態７並びに実施形態８と共通であるから図示並びに説明を省略する。
【００９３】
而して、本基本例のコンセントＣ５’も基本例４における２個のコンセントＣ５とプレート１００”を一体にしたような構成を有するため、実施形態７と同様に２個のコンセントＣ５とプレート１００”を別体とする構成に比較して部品点数の削減や施工作業の簡素化が図れるとともに、基本例１０に比較して器体３２０の小型化が図れるという利点がある。
【００９４】
（実施形態９）
本実施形態のコンセントＣ７は、図６０〜図６２に示すように、実施形態４で説明した２種類のコンセントＣ３，ＣＡとプレート１００を一体に形成した構成を有している。すなわち、本実施形態のコンセントＣ７の器体３３０は、実施形態４における２種類のコンセントＣ３，ＣＡの器体１，２２０と、プレート１００を構成するプレート枠１１０及び化粧プレート１２０とを一体に形成した合成樹脂成型品からなる。ここで、説明を容易にするために、実施形態４における２種類のコンセントＣ３，ＣＡ及びプレート１００と各々共通の構成を有する部分には同一の名称及び符号を付して詳細な説明を省略する。
【００９５】
図６０に示すように、器体３３０前面にはコンセントＣ３と共通の凹所２４、接触片４２、差込部５０等、並びにコンセントＣＡと共通の差込部２２１が設けられ、器体３３０内部には同じくコンセントＣ３，ＣＡと共通の刃受部材３２，６０や接地部材４０等が収納される。また、器体３３０前面の長手方向両端部近傍には、器体３３０背面側に開口するボックスねじ用孔１３２と連通する長孔状の取付孔３３１が設けられている。つまり、本実施形態のコンセントＣ７を施工する場合、器体３３０前面から取付孔３３１及びボックスねじ用孔１３２に挿通したボックスねじにより埋込ボックスに取り付けることができ、取付孔３３１の形状に合わせて長円形に形成された隠蓋３３２で取付孔３３１を塞いでボックスねじの頭部が隠される。
【００９６】
而して、本実施形態のコンセントＣ７は実施形態４における２種類のコンセントＣ３，ＣＡとプレート１００を一体にしたような構成を有するため、２種類のコンセントＣ３，ＣＡとプレート１００を別体とする構成に比較して部品点数の削減や施工作業の簡素化が図れるという利点がある。
【００９７】
なお、器体３３０としては、図６３及び図６４に示すように、差込部２２１に平型栓刃挿入口２２２ａのみを備える構成や、あるいは、図６５及び図６６に示すように、各挿入口２２２が平型栓刃挿入口２２２ａの長手方向の一端部の一側縁にピン型栓刃挿入口２２２ｂが連通した形状に形成された構成としてもよい。
【００９８】
（基本例１２）
本基本例のコンセントＣ８は、図６７及び図６８に示すように、基本例５における２種類のコンセントＣ２，ＣＡとプレート１００を一体に形成した構成を有するものであって、実施形態９の構成から接地極用の刃受部材６０を省略するとともに器体３３０前面の凹所２４の底部から接地極用の挿入口５２を省略した例であって、接地極のない差込部５０と接地極付きの差込部２２１を１口ずつ備えるものである。なお、その他の構成は基本例５並びに実施形態９と共通であるから図示並びに説明を省略する。
【００９９】
而して、本基本例のコンセントＣ８は基本例５における２種類のコンセントＣ２，ＣＡとプレート１００を一体にしたような構成を有するため、２種類のコンセントＣ２，ＣＡとプレート１００を別体とする構成に比較して部品点数の削減や施工作業の簡素化が図れるという利点がある。
【０１００】
なお、器体３３０としては、図６９及び図７０に示すように、差込部２２１に平型栓刃挿入口２２２ａのみを備える構成としてもよい。
【０１０１】
（基本例１３）
本基本例のコンセントＣ９は、図７１及び図７２に示すように、基本例６における２種類のコンセントＣ０，ＣＡとプレート１００を一体に形成した構成を有するものであって、実施形態９の構成から接地極用の刃受部材６０を省略するとともに器体３３０前面の凹所２４の底部から接地極用の挿入口５２を省略し且つ挿入口５１としてピン型栓刃挿入口５１ｂのみを設けた例であって、Ｃ型プラグＰ５のみに対応した差込部５０と、Ａ型プラグＰ１，Ｐ２に対応した接地極付きの差込部２２１を１口ずつ備えるものである。なお、その他の構成は基本例６並びに実施形態９と共通であるから図示並びに説明を省略する。
【０１０２】
而して、本基本例のコンセントＣ９は基本例６における２種類のコンセントＣ０，ＣＡとプレート１００を一体にしたような構成を有するため、２種類のコンセントＣ０，ＣＡとプレート１００を別体とする構成に比較して部品点数の削減や施工作業の簡素化が図れるという利点がある。
【０１０３】
なお、器体３３０としては、図７３及び図７４に示すように、差込部２２１に平型栓刃挿入口２２２ａのみを備える構成としてもよい。
【０１０４】
【発明の効果】
請求項１の発明は、施工面に固定される取付部材に保持されて設置される器体と、器体に設けた差込部に挿入されたプラグの栓刃を受ける刃受部材と、刃受部材に電気的に接続され器体に設けた電線挿入口に挿入された電線を保持して電線を刃受部材と電気的に接続する端子部とを備え、プラグの少なくとも一部が嵌合する凹所が器体の前面に設けられ、凹所の底面に差込部が設けられるとともに凹所の底面を除く部位でプラグが具備する接地極と接触導通する接地部材が器体内に収納され、差込部はプラグの栓刃が挿入される一対の栓刃挿入口と、プラグの接地極用の栓刃が挿入される接地極用の栓刃挿入口とを有し、一対の栓刃挿入口は平板状の平型栓刃が挿入される平型栓刃挿入口とピン型の栓刃が挿入されるピン型栓刃挿入口とを連通させるとともに、それぞれの平型栓刃挿入口の中心とピン型栓刃挿入口の中心とを結ぶ直線が互いに平行とならない形状に形成されることを特徴とし、従来のＣ型プラグ用のコンセントと同様にＣ型プラグの接地極と接触導通する接地部材と、Ａ型プラグの接地極用を含む栓刃が挿入される栓刃挿入口及び各栓刃挿入口に挿入される栓刃を受ける刃受部材とが設けてあるため、Ｃ型プラグとＡ型プラグのように接触子の形状や接地極の配置等が異なる複数種のプラグを接続することが可能となるという効果がある。しかも、差込部が凹所の底面に設けられているから、差込部への異物等の誤挿入による感電事故の発生を防いで感電保護性能を向上させることができるという効果がある。また、凹所の底面に対して平型栓刃挿入口及び接地極用の栓刃挿入口の位置をずらし、接地極付きのＡ型プラグのように寸法の大きい外郭と接地部材とが干渉しないようにして接続を可能とするという効果がある。
【０１０５】
請求項２の発明は、請求項１の発明において、器体が取付部材と別体に形成されることを特徴とし、取付部材を用いて他のコンセント等と一緒に施工面に施工することができるためにバリエーション展開が容易になるという効果がある。
【０１０６】
請求項３の発明は、請求項１の発明において、器体が取付部材の少なくとも一部と一体に形成されることを特徴とし、部品点数の削減や施工作業の簡素化が図れるという効果がある。
【０１０７】
請求項４の発明は、請求項１の発明において、２つの器体が少なくとも一部で連結されてなることを特徴とし、取付部材を用いて２個の器体を並べて施工した場合よりも器体の寸法を小さくして小型化を図ることができるという効果がある。
【０１０８】
請求項５の発明は、請求項１の発明において、プラグの栓刃が挿入される差込部が器体前面の凹所の隣に設けられ、この差込部に挿入されたプラグの栓刃を受ける刃受部材、刃受部材に電気的に接続され器体に設けた電線挿入口に挿入された電線を保持して電線を刃受部材と電気的に接続する端子部が器体内に収納されることを特徴とし、取付部材を用いて２種類のコンセントの器体を並べて施工した場合よりも器体の寸法を小さくして小型化を図ることができるという効果がある。
【０１０９】
請求項６の発明は、請求項１記載のコンセントと、施工面に固定され２個の器体を並べて保持する取付部材とを備えたことを特徴とし、２つのコンセントを並列して配置することができるため、取付部材を用いて２つのコンセントを施工する場合に比較して施工スペースが少なくて済む。
【０１１０】
請求項７の発明は、請求項１記載のコンセントと、請求項１記載のコンセントと異なる構造のコンセントと、施工面に固定され２種類のコンセントの器体を並べて保持する取付部材とを備えたことを特徴とし、種類の異なる２つのプラグを同時に接続することが可能なコンセント装置が実現できるとともに、コンセント装置としてのバリエーション展開が容易になるという効果がある。
【図面の簡単な説明】
【図１】  基本例１のコンセントをプレートに取り付けた状態の正面図である。
【図２】  同上のコンセントをプレートに取り付けた状態の斜視図である。
【図３】  同上のカバーを取り外した状態の正面図である。
【図４】  同上のコンセントをプレートに取り付けた状態の右側断面図である。
【図５】  同上のコンセントをプレートに取り付けた状態の背面図である。
【図６】  同上のコンセントを別のプレートに取り付けた状態の正面図である。
【図７】  基本例２のコンセントをプレートに取り付けた状態の正面図である。
【図８】  同上のコンセントをプレートに取り付けた状態の斜視図である。
【図９】  実施形態１のコンセントをプレートに取り付けた状態の正面図である。
【図１０】  同上のコンセントをプレートに取り付けた状態の斜視図である。
【図１１】  同上のカバーを取り外した状態の正面図である。
【図１２】  同上の説明図である。
【図１３】  同上の説明図である。
【図１４】  実施形態２のコンセントをプレートに取り付けた状態の正面図である。
【図１５】  同上のコンセントをプレートに取り付けた状態の斜視図である。
【図１６】  同上のコンセントをプレートに取り付けた状態の背面図である。
【図１７】  同上のコンセントをプレートに取り付けた状態の下側断面図である。
【図１８】  基本例３のコンセントをプレートに取り付けた状態の正面図である。
【図１９】  同上のコンセントをプレートに取り付けた状態の斜視図である。
【図２０】  実施形態３の正面図である。
【図２１】  同上の斜視図である。
【図２２】  同上の背面図である。
【図２３】  基本例４の正面図である。
【図２４】  同上の斜視図である。
【図２５】  実施形態４の正面図である。
【図２６】  同上の斜視図である。
【図２７】  同上の背面図である。
【図２８】  同上の他の構成を示す正面図である。
【図２９】  同上の他の構成を示す斜視図である。
【図３０】  同上のさらに他の構成を示す正面図である。
【図３１】  同上のさらに他の構成を示す斜視図である。
【図３２】  基本例５の正面図である。
【図３３】  同上の斜視図である。
【図３４】  同上の他の構成を示す正面図である。
【図３５】  同上の他の構成を示す斜視図である。
【図３６】  基本例６の正面図である。
【図３７】  同上の斜視図である。
【図３８】  同上の他の構成を示す正面図である。
【図３９】  同上の他の構成を示す斜視図である。
【図４０】  基本例７の正面図である。
【図４１】  基本例８の正面図である。
【図４２】  同上の斜視図である。
【図４３】  同上の背面図である。
【図４４】  基本例９の正面図である。
【図４５】  同上の斜視図である。
【図４６】  実施形態５の正面図である。
【図４７】  同上の斜視図である。
【図４８】  実施形態６の正面図である。
【図４９】  同上の背面図である。
【図５０】  同上の他の構成を示す正面図である。
【図５１】  同上のさらに他の構成を示す正面図である。
【図５２】  実施形態７の正面図である。
【図５３】  同上の斜視図である。
【図５４】  基本例１０の正面図である。
【図５５】  同上の斜視図である。
【図５６】  実施形態８の正面図である。
【図５７】  同上の斜視図である。
【図５８】  基本例１１の正面図である。
【図５９】  同上の斜視図である。
【図６０】  実施形態９の正面図である。
【図６１】  同上の斜視図である。
【図６２】  同上の背面図である。
【図６３】  同上の他の構成を示す正面図である。
【図６４】  同上の他の構成を示す斜視図である。
【図６５】  同上のさらに他の構成を示す正面図である。
【図６６】  同上のさらに他の構成を示す斜視図である。
【図６７】  基本例１２の正面図である。
【図６８】  同上の斜視図である。
【図６９】  同上の他の構成を示す正面図である。
【図７０】  同上の他の構成を示す斜視図である。
【図７１】  基本例１３の正面図である。
【図７２】  同上の斜視図である。
【図７３】  同上の他の構成を示す正面図である。
【図７４】  同上の他の構成を示す斜視図である。
【図７５】  従来のコンセントの一例を示す分解斜視図である。
【図７６】  接地極なしのＡ型プラグを示す斜視図である。
【図７７】  接地極付きのＡ型プラグを示す斜視図である。
【図７８】  定格２．５ＡのＣＥＥプラグを示す斜視図である。
【図７９】  定格１６ＡのＣＥＥプラグを示す斜視図である。
【図８０】  Ｃ型プラグを示し、（ａ）は正面図、（ｂ）は側面図、（ｃ）は側面半断面図である。
【図８１】  従来のＣ型プラグ用のコンセントを示す分解斜視図である。
【図８２】  同上の背面側から見た分解斜視図である。
【図８３】  同上の斜視図である。
【図８４】  同上を示し、（ａ）は正面図、（ｂ）は下側面図、（ｃ）は右側面図である。
【図８５】  同上とプレート枠及び化粧プレートの前面側から見た分解斜視図である。
【図８６】  同上とプレート枠及び化粧プレートの背面側から見た分解斜視図である。
【図８７】  同上のプレート枠に取り付けた状態を示す側断面図である。
【符号の説明】
１  器体
１０  ボディ
２０  カバー
２４  凹所
４２  接触片
５０  差込部
５１  挿入口
５１ａ  平型栓刃挿入口
５１ｂ  ピン型栓刃挿入口
５２  挿入口
【図１】
0003687504.tif 000002
【図２】
0003687504.tif 000003
【図３】
0003687504.tif 000004
【図４】
0003687504.tif 000005
【図５】
0003687504.tif 000006
【図６】
0003687504.tif 000007
【図７】
0003687504.tif 000008
【図８】
0003687504.tif 000009
【図９】
0003687504.tif 000010
【図１０】
0003687504.tif 000011
【図１１】
0003687504.tif 000012
【図１２】
0003687504.tif 000013
【図１３】
0003687504.tif 000014
【図１４】
0003687504.tif 000015
【図１５】
0003687504.tif 000016
【図１６】
0003687504.tif 000017
【図１７】
0003687504.tif 000018
【図１８】
0003687504.tif 000019
【図１９】
0003687504.tif 000020
【図２０】
0003687504.tif 000021
【図２１】
0003687504.tif 000022
【図２２】
0003687504.tif 000023
【図２３】
0003687504.tif 000024
【図２４】
0003687504.tif 000025
【図２５】
0003687504.tif 000026
【図２６】
0003687504.tif 000027
【図２７】
0003687504.tif 000028
【図２８】
0003687504.tif 000029
【図２９】
0003687504.tif 000030
【図３０】
0003687504.tif 000031
【図３１】
0003687504.tif 000032
【図３２】
0003687504.tif 000033
【図３３】
0003687504.tif 000034
【図３４】
0003687504.tif 000035
【図３５】
0003687504.tif 000036
【図３６】
0003687504.tif 000037
【図３７】
0003687504.tif 000038
【図３８】
0003687504.tif 000039
【図３９】
0003687504.tif 000040
【図４０】
0003687504.tif 000041
【図４１】
0003687504.tif 000042
【図４２】
0003687504.tif 000043
【図４３】
0003687504.tif 000044
【図４４】
0003687504.tif 000045
【図４５】
0003687504.tif 000046
【図４６】
0003687504.tif 000047
【図４７】
0003687504.tif 000048
【図４８】
0003687504.tif 000049
【図４９】
0003687504.tif 000050
【図５０】
0003687504.tif 000051
【図５１】
0003687504.tif 000052
【図５２】
0003687504.tif 000053
【図５３】
0003687504.tif 000054
【図５４】
0003687504.tif 000055
【図５５】
0003687504.tif 000056
【図５６】
0003687504.tif 000057
【図５７】
0003687504.tif 000058
【図５８】
0003687504.tif 000059
【図５９】
0003687504.tif 000060
【図６０】
0003687504.tif 000061
【図６１】
0003687504.tif 000062
【図６２】
0003687504.tif 000063
【図６３】
0003687504.tif 000064
【図６４】
0003687504.tif 000065
【図６５】
0003687504.tif 000066
【図６６】
0003687504.tif 000067
【図６７】
0003687504.tif 000068
【図６８】
0003687504.tif 000069
【図６９】
0003687504.tif 000070
【図７０】
0003687504.tif 000071
【図７１】
0003687504.tif 000072
【図７２】
0003687504.tif 000073
【図７３】
0003687504.tif 000074
【図７４】
0003687504.tif 000075
【図７５】
0003687504.tif 000076
【図７６】
0003687504.tif 000077
【図７７】
0003687504.tif 000078
【図７８】
0003687504.tif 000079
【図７９】
0003687504.tif 000080
【図８０】
0003687504.tif 000081
【図８１】
0003687504.tif 000082
【図８２】
0003687504.tif 000083
【図８３】
0003687504.tif 000084
【図８４】
0003687504.tif 000085
【図８５】
0003687504.tif 000086
【図８６】
0003687504.tif 000087
【図８７】
0003687504.tif 000088